【手続補正書】
【提出日】平成16年9月28日(2004.9.28)
【手続補正１】
【補正対象書類名】明細書
【補正対象項目名】発明の名称
【補正方法】変更
【補正の内容】
【発明の名称】パチンコ機
【手続補正２】
【補正対象書類名】明細書
【補正対象項目名】特許請求の範囲
【補正方法】変更
【補正の内容】
【特許請求の範囲】
【請求項１】
大当りが発生した場合に大入賞口を開口するとともに、前記大入賞口を開口している間の前記大入賞口への入賞数が規定数に達した場合に前記大入賞口を閉口する開閉部材と、
この開閉部材の左右方向にそれぞれ設けられており、上方から流下した遊技球を開口された前記大入賞口へ誘導可能な形態と、前記流下した遊技球を前記開口された大入賞口へ誘導不可能な形態とに変化する第１および第２の誘導部材と、
前記大入賞口が開口しているときに前記大入賞口への入賞数が前記規定数より少ない所定数に達するまでは、前記第１および第２の誘導部材を前記大入賞口へ誘導可能な形態に変化させ、かつ、前記入賞数が前記所定数に達したときは、前記第１および第２の誘導部材を前記大入賞口へ誘導不可能な形態に変化させる制御手段と、
を備えたことを特徴とするパチンコ機。
【請求項２】
前記大入賞口へ誘導可能な形態に変化した前記第１および第２の誘導部材の前記開閉部材に近い方の各端部と、前記開閉部材の両端部との間には、前記遊技球の直径よりも大きい間隙がそれぞれ形成されていることを特徴とする請求項１に記載のパチンコ機。
【請求項３】
大当りが発生した場合に大入賞口を開口するとともに、前記大入賞口を開口している間の前記大入賞口への入賞数が規定数に達した場合に前記大入賞口を閉口する開閉部材と、
この開閉部材の上方に設けられているとともに、開口した前記大入賞口の上方に突出する形態と突出しない形態とに変化可能であり、かつ、前記大入賞口の上方に突出した形態に変化することにより、上方から流下する遊技球の前記大入賞口への入賞を規制する規制部材と、
前記大入賞口が開口しているときに前記大入賞口への入賞数が前記規定数より少ない所定数に達するまでは、前記規制部材を前記大入賞口の上方に突出しない形態を維持し、かつ、前記入賞数が前記所定数に達したときは、前記規制部材を前記大入賞口の上方に突出させる制御手段と、
を備えたことを特徴とするパチンコ機。
【手続補正３】
【補正対象書類名】明細書
【補正対象項目名】０００５
【補正方法】変更
【補正の内容】
【０００５】
【課題を解決するための手段・作用および効果】
この発明は、上記目的を達成するため、請求項１に記載の発明では、大当りが発生した場合に大入賞口を開口するとともに、前記大入賞口を開口している間の前記大入賞口への入賞数が規定数に達した場合に前記大入賞口を閉口する開閉部材と、この開閉部材の左右方向にそれぞれ設けられており、上方から流下した遊技球を開口された前記大入賞口へ誘導可能な形態と、前記流下した遊技球を前記開口された大入賞口へ誘導不可能な形態とに変化する第１および第２の誘導部材と、前記大入賞口が開口しているときに前記大入賞口への入賞数が前記規定数より少ない所定数に達するまでは、前記第１および第２の誘導部材を前記大入賞口へ誘導可能な形態に変化させ、かつ、前記入賞数が前記所定数に達したときは、前記第１および第２の誘導部材を前記大入賞口へ誘導不可能な形態に変化させる制御手段と、を備えたという技術的手段を用いる。
【手続補正４】
【補正対象書類名】明細書
【補正対象項目名】０００６
【補正方法】変更
【補正の内容】
【０００６】
つまり、制御手段は、大入賞口が開口しているときに大入賞口への入賞数が規定数より少ない所定数に達するまでは、第１および第２の誘導部材を大入賞口へ誘導可能な形態に変化させ、かつ、入賞数が所定数に達したときは、第１および第２の誘導部材を大入賞口へ誘導不可能な形態に変化させることができる。
たとえば、後述する第１実施形態に記載するように、大入賞口４６の両側に誘導部材４２，４３を設け、大入賞口４６の入賞数の規定数が「１０」である場合に、入賞数が「７」になったときに誘導部材４２，４３を開作動させることにより、誘導部材４２，４３による遊技球の大入賞口４６への誘導を停止することにより、開閉部材４１により受止められた遊技球の一部のみが大入賞口４６に入賞することになるため、入賞数を規定数の「１０」丁度、あるいは、規定数に近い数（「９」とか「１１」）にすることができる。
したがって、入賞数が所定数に達するまでは、流下する遊技球を大入賞口へ誘導することにより入賞を促進し、入賞数が所定数に達した以降は、入賞を促進しないようにすることにより、入賞数のばらつきを小さくすることができるため、公平な遊技を行うことができるパチンコ機を実現できる。。
また、第１および第２の誘導部材を開閉部材の左右方向に設けることにより、大入賞口の横方向からの入賞数を調整することができる。
たとえば、後述する第１実施形態に記載するように、開閉部材４１の右横方向に誘導部材４２を設け、開閉部材４１の左横方向に誘導部材４３を設ける。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
請求項２に記載の発明では、請求項１に記載のパチンコ機において、前記大入賞口へ誘導可能な形態に変化した前記第１および第２の誘導部材の前記開閉部材に近い方の各端部と、前記開閉部材の両端部との間には、前記遊技球の直径よりも大きい間隙がそれぞれ形成されているという技術的手段を用いる。
【手続補正１４】
【補正対象書類名】明細書
【補正対象項目名】００１６
【補正方法】変更
【補正の内容】
【００１６】
たとえば、後述する第１実施形態に記載するように、誘導部材４２と開閉部材４１の右側壁４１ｂとの間に間隙４８を形成し、誘導部材４３と開閉部材４１の左側壁４１ｃとの間に間隙４９を形成する。そして、誘導部材４２により開閉部材４１に向けて誘導された遊技球の一部を間隙４８から流下させ、誘導部材４３により開閉部材４１に向けて誘導された遊技球の一部を間隙４９から下方に流下させる。
つまり、第１および第２の誘導部材により流下方向の変化された遊技球が、入賞経路から外れる場合を作ることにより、短時間での入賞数の増加を調節することができる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
請求項３に記載の発明では、大当りが発生した場合に大入賞口を開口するとともに、前記大入賞口を開口している間の前記大入賞口への入賞数が規定数に達した場合に前記大入賞口を閉口する開閉部材と、この開閉部材の上方に設けられているとともに、開口した前記大入賞口の上方に突出する形態と突出しない形態とに変化可能であり、かつ、前記大入賞口の上方に突出した形態に変化することにより、上方から流下する遊技球の前記大入賞口への入賞を規制する規制部材と、前記大入賞口が開口しているときに前記大入賞口への入賞数が前記規定数より少ない所定数に達するまでは、前記規制部材を前記大入賞口の上方に突出しない形態を維持し、かつ、前記入賞数が前記所定数に達したときは、前記規制部材を前記大入賞口の上方に突出させる制御手段とを備えたという技術的手段を用いる。
【手続補正１８】
【補正対象書類名】明細書
【補正対象項目名】００２０
【補正方法】変更
【補正の内容】
【００２０】
つまり、規制部材を大入賞口の上方に設けることにより、大入賞口の上方向からの入賞数を調整することができる。
たとえば、後述する第２実施形態に記載するように、開閉部材４１の上方向に規制部材４７を設ける。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００５２
【補正方法】変更
【補正の内容】
【００５２】
［各請求項と実施形態との対応関係］
メインＣＰＵ１１２が制御手段に対応する。そして、メインＣＰＵ１１２が実行するＳ２２およびＳ２４が、請求項１に記載の制御手段として機能する。
【手続補正２５】
【補正対象書類名】明細書
【補正対象項目名】符号の説明
【補正方法】変更
【補正の内容】
【符号の説明】
１    パチンコ機
３２    特別図柄制御装置
４１    開閉部材
４２，４３    誘導部材
４６ａ  大入賞口スイッチ
４６ｂ  大入賞口ソレノイド
４７    規制部材